(57)【特許請求の範囲】
【請求項１】
撮像手段から出力されたＲ、Ｇ及びＢ信号を前記Ｒ、Ｇ及びＢ信号の低域成分を含む低域信号と、前記Ｒ、Ｇ及びＢ信号の高域成分を含む高域信号とに分離する分離手段と、
前記低域信号のガンマ補正を行う補正手段とを有し、
前記補正手段で補正された前記低域信号と前記補正手段で補正されていない前記高域信号を用いて輝度信号とを生成し、
前記Ｒ、Ｇ及びＢ信号を前記低域信号と前記高域信号とに分離する前に前記Ｒ、Ｇ及びＢ信号を用いてホワイトバランスの調整を行うことを特徴とする撮像装置。
【請求項２】
前記補正手段で補正された前記低域信号と前記補正手段で補正されていない前記高域信号とを用いて色差信号を生成することを特徴とする請求項１に記載の撮像装置。
【請求項３】
前記輝度信号と前記色差信号とを用いてコンポジットビデオ信号を生成することを特徴とする請求項２に記載の撮像装置。
【請求項４】
撮像手段から出力されたＲ、Ｇ及びＢ信号を前記Ｒ、Ｇ及びＢ信号の低域成分を含む低域信号と、前記Ｒ、Ｇ及びＢ信号の高域成分を含む高域信号とに分離する分離手段と、
前記低域信号のガンマ補正を行う補正手段とを有し、
前記補正手段で補正された前記低域信号と前記補正手段で補正されていない前記高域信号とを用いて輝度信号を生成し、
前記補正手段で補正された前記低域信号と前記補正手段で補正されていない前記高域信号とを用いて色差信号を生成することを特徴とする撮像装置。
【請求項５】
前記Ｒ、Ｇ及びＢ信号を前記低域信号と前記高域信号とに分離する前に前記Ｒ、Ｇ及びＢ信号を用いてホワイトバランスの調整を行うことを特徴とする請求項４に記載の撮像装置。
【請求項６】
前記輝度信号と前記色差信号とを用いてコンポジットビデオ信号を生成することを特徴とする請求項４又は５に記載の撮像装置。
【発明の詳細な説明】
【０００１】
【産業上の利用分野】
本発明は撮像装置、より具体的にはＣＣＤ等の撮像素子を用いたビデオカメラに有利に適用される撮像装置に関する。
【０００２】
【従来の技術】
図４に従来例の撮像装置の機能ブロック図を示す。図４において、レンズ１によってＣＣＤ２上に結像した画像は、Ｒ、Ｇ、Ｂの電気信号に変換された後、サンプルホールドおよびＡＧＣ回路５を通りホワイトバランス回路６でＲ、Ｇ、Ｂ各色のゲイン調整が行なわれ、ガンマ変換回路８にてガンマ特性が補正される。このときのガンマ補正は、通常、γ＝０．４５程度に設定される。ガンマ補正が終わったＲ、Ｇ、Ｂ信号はマトリクス回路９で輝度信号と色差信号に変換された後、エンコーダ回路１３でコンポジットビデオ信号として出力される。
【０００３】
また、輝度信号と色信号とをそれぞれ別個の撮像素子から取り出して合成し、映像信号を得る撮像装置は、２板式撮像装置として知られている。
【０００４】
図７は従来の２板式撮像装置の構成を示したブロック図である。図７において、１１４は色信号用のＣＣＤ、１１５は輝度信号用のＣＣＤ、１１６は色信号用のＣＣＤと輝度信号用のＣＣＤに光を分割するためのハーフミラーである。ＣＣＤ１１５及びＣＣＤ１１６はクロックドライバ１０３からのクロック信号によって動作するＣＣＤドライバ１０４により駆動される。撮影レンズ１０１を通った光はハーフミラー１１６によって、信号用ＣＣＤ１１４に行く信号と、輝度信号用のＣＣＤ１１５に行く信号とに分けられ、それぞれのＣＣＤ上に結像する。色信号用のＣＣＤ１１４からはＲ，Ｇ，Ｂの各信号が出力され、サンプルホールド回路およびＡＧＣ回路１０５を通った後、ホワイトバランス調整回路１０６においてレベル調整が行なわれる。ホワイトバランス調整回路１０６から出力されたＲＧＢ信号は、ガンマ変換回路１０８においてガンマ補正がかけられた後、マトリクス回路１０９に入力される。マトリクス回路１０９では入力されたＲＧＢ信号から色差信号を作りローパスフィルタ１１０，１１１によって帯域制限をしてエンコーダ１１３に入力する。また輝度信号用のＣＣＤ１１５からの出力は、サンプルホードおよびＡＧＣ回路１０５を通った後、ガンマ変換回路１０８においてガンマ補正がかけられた後、ローパスフィルタ１１２によって帯域制限をしてエンコーダ１１３に入力される。エンコーダ１１３では入力された色信号と輝度信号をコンポジットビデオ信号に変換して出力する。
【０００５】
ここで、純色タイプの色フィルターを用いた撮像装置におけるホワイトバランス調整回路１０６はＲ信号、Ｇ信号、Ｂ信号を取り出してＧ信号の振幅を基準にして、Ｒ信号とＢ信号のアンプゲインを制御する方式を採っている。この方式を２板式のカメラに適用する場合、第一の方法としては輝度信号用のＣＣＤ１１５と色信号用のＣＣＤ１１４とに分けて色信号用のＣＣＤ１１４の方にＲＧＢの色フィルタを付けて色信号用のＣＣＤ１１４の出力のみでホワイトバランスをとるという方法があった。また第二の方法としては、Ｇ信号用のＣＣＤとＲＢ信号用のＣＣＤとに分けて、両方のＣＣＤの出力を用いてホワイトバランスをとるという方法があった。
【０００６】
【発明が解決しようとする課題】
上記従来例においては、センサ上およびその出力段で発生するノイズに対してもガンマ補正が行われるため、信号レベルの比較的低い所のノイズが強調されてしまい、Ｓ／Ｎを劣化させるという問題があった。
【０００７】
上記従来例においては入射光が色信号用のＣＣＤと輝度信号用のＣＣＤとに分割されるため、それぞれのＣＣＤに対する入射光量が減るため、輝度信号のＳ／Ｎ比が劣化するという問題があった。
【０００８】
またホワイトバランスについても、第一の方法の場合は、色信号用のＣＣＤからＲＧＢ各色の信号を取り出すため一つの色についてのサンプル周波数が低くなるため、色モアレが発生しやすくなるという問題があった。そのため光学的なローパスフィルタで十分に帯域を落としてやる必要があった。
【０００９】
また第二の方法の場合色モアレに対しては有利になる反面、輝度信号を作るために二つのＣＣＤの信号を用いるため、ＣＣＤの位置合わせの精度が厳しくなるという問題があった。
【００１０】
本発明は、出力画像の暗部のＳ／Ｎ比を改善することができる撮像装置を提供することを目的とする。
【００１２】
【課題を解決するための手段】
本発明の撮像装置の一つは、撮像手段から出力されたＲ、Ｇ及びＢ信号を前記Ｒ、Ｇ及びＢ信号の低域成分を含む低域信号と、前記Ｒ、Ｇ及びＢ信号の高域成分を含む高域信号とに分離する分離手段と、前記低域信号のガンマ補正を行う補正手段とを有し、前記補正手段で補正された前記低域信号と前記補正手段で補正されていない前記高域信号を用いて輝度信号とを生成し、前記Ｒ、Ｇ及びＢ信号を前記低域信号と前記高域信号とに分離する前に前記Ｒ、Ｇ及びＢ信号を用いてホワイトバランスの調整を行うことを特徴とする。
本発明の撮像装置の一つは、撮像手段から出力されたＲ、Ｇ及びＢ信号を前記Ｒ、Ｇ及びＢ信号の低域成分を含む低域信号と、前記Ｒ、Ｇ及びＢ信号の高域成分を含む高域信号とに分離する分離手段と、前記低域信号のガンマ補正を行う補正手段とを有し、前記補正手段で補正された前記低域信号と前記補正手段で補正されていない前記高域信号とを用いて輝度信号を生成し、前記補正手段で補正された前記低域信号と前記補正手段で補正されていない前記高域信号とを用いて色差信号を生成することを特徴とする。
【００１９】
【実施例】
次に添付図面を参照して本発明による撮像装置の実施例を詳細に説明する。
【００２０】
図１は本発明による撮像装置に一実施例を示す機能ブロック図である。図１において、撮像レンズ１は、被写体（図示せず）を結像させるためのレンズであり、結像された被写体の映像は撮像素子２に送られる。
【００２１】
撮像素子２は、たとえばＣＣＤなどの固体撮像素子であり、クロック発生器（ＣＬＯＣＫ  ＧＥＮ．）３からのクロックを入力するＣＣＤ駆動回路（ＣＣＤＤＲＩＶＥＲ）４により駆動される。撮像素子２は、サンプルホールドおよびＡＧＣ回路（Ｓ／Ｈ  ＡＧＣ）５に接続され、結像した被写体のＲ，Ｇ，Ｂ電気信号をＣＣＤ駆動回路４に駆動され、サンプルホールドおよびＡＧＣ回路５に出力する。
【００２２】
サンプルホールドおよびＡＧＣ回路５は、入力したＲ，Ｇ，Ｂ信号をサンプルホールド、ＡＧＣ（自動利得調整）を行う回路であり、ホワイトバランス調整回路（ＷＢ）６に接続されている。ホワイトバランス調整回路６はサンプルホールドおよびＡＧＣ回路５より入力したＲ，Ｇ，Ｂ信号のホワイトバランスの調整を行う回路であり、高域低域分離回路７に接続されている。
【００２３】
高域低域分離回路７は、ホワイトバランス調整されたＲ，Ｇ，Ｂ信号を高域成分と低域成分とに分離する回路である。高域低域分離回路７は、ガンマ変換回路８およびマトリクス回路１９に接続され、低域成分のＲ，Ｇ，Ｂ信号であるＲＬ，ＧＬ，ＢＬ信号をガンマ変換回路８に、高域成分のＲ，Ｇ，Ｂ信号であるＲＨ，ＧＨ，ＢＨ信号をマトリクス回路１９に送る。
【００２４】
ガンマ変換回路８は、低域成分のＲＬ，ＧＬ，ＢＬ信号のガンマ補正を行う回路ある。ガンマ変換回路８はマトリクス回路１９に接続され、ガンマ補正したＲＬ，ＧＬ，ＢＬ信号をこの回路１９に出力する。
【００２５】
マトリクス回路１９は、高域成分のＲ，Ｇ，Ｂ信号とガンマ補正された低域成分のＲＬ，ＧＬ，ＢＬ信号を入力し、これらを加算して輝度信号Ｙ＋Ｓと色差信号Ｒ−ＹおよびＢ−Ｙに変換する回路である。マトリクス回路１９はローパスフィルタ（ＬＰＦ）１０、１１および１２に接続され、色差信号Ｒ−Ｙをローパスフィルタ１０に、色差信号Ｂ−Ｙをローパスフィルタ１１に、輝度信号Ｙ＋Ｓをローパスフィルタ１２にそれぞれ送る。
【００２６】
ローパスフィルタ１０、１１および１２は、それぞれ入力した信号の所定の周波数成分をカットして帯域制限を行うフィルタである。ローパスフィルタ１０、１１および１２はそれぞれ、エンコード回路１３に接続されている。エンコード回路１３は、各フィルタより入力した輝度信号Ｙ＋Ｓと色差信号Ｒ−Ｙ，Ｂ−Ｙをコンポジットビデオ信号に変換して出力する回路である。
【００２７】
次に図１に示した実施例の動作を説明する。
【００２８】
撮像レンズ１を通って撮像素子２上に結像した画像は、電気信号に変換された後、サンプルホールドおよびＡＧＣ回路５を通ってホワイトバランス調整回路６でＲＧＢ各色のゲイン調整が行なわれる。ホワイトバランス調整のすんだＲＧＢ信号は、高域低域分離回路７において高域成分と、低域成分とに分離される。低域成分は通常の信号処理と同様にガンマ変換回路８においてガンマ補正を行った後、マトリクス回路１９に入力される。
【００２９】
高域成分についてはガンマ特性の変換を行わずにマトリクス回路１９に入力される。マトリクス回路１９ではＲＧＢ信号の高域成分と低域成分とを加算した後、輝度信号と色差信号とに変換する。マトリクス回路１９の出力はそれぞれ、ローパスフィルタ１０，１１，１２で帯域制限をした後、エンコード回路１３でコンポジットビデオ信号に変換されて出力される。
【００３０】
次に図２を用いて本発明による撮像装置の他の実施例を説明する。
【００３１】
同実施例は２板式のＣＣＤカメラに本発明を適用したものである。同実施例では撮像素子が色信号用のＣＣＤ１４と輝度信号用のＣＣＤ１５により構成され、ハーフミラー１６により撮影レンズ１からの光がこれらＣＣＤに分割して結像される。
【００３２】
このように同実施例では輝度信号用と色信号用の撮像素子を用いたため、輝度信号用のＣＣＤ１５からの輝度信号を、高域低域分離回路２３で高域の輝度信号ＹＬと低域の輝度信号ＹＨとに分離し、低域輝度信号をガンマ補正するとともに、高域輝度信号ＹＨを振幅制御回路１８で振幅制御して、これら輝度信号を加算器１７で加算することで輝度信号Ｙ＋Ｓとしている。なお、同実施例において、図１と同符号の構成要素は実質的に同じ機能である。
【００３３】
次に図２を用いてこの実施例の動作を詳細に説明する。撮影レンズ１を通った光はハーフミラー１６によって、色信号用ＣＣＤ１４に行く信号と輝度信号用のＣＣＤ１５に行く信号とに分けられ、それぞれのＣＣＤ上に結像する。色信号用のＣＣＤ１５からはＲ、Ｇ、Ｂの各信号が出力され、サンプルホールド回路およびＡＧＣ回路５を通った後、ホワイトバランス調整回路６においてレベル調整が行なわれる。
【００３４】
ホワイトバランス調整回路６から出力されたＲＧＢ信号は、ガンマ変換回路８においてガンマをかけた後、マトリクス回路２９に入力される。マトリクス回路２９では入力されたＲＧＢ信号から色差信号を作って出力される。
【００３５】
また、輝度信号用のＣＣＤ１５からはＹ（輝度）信号が出力され、Ｈｉｇｈ／Ｌｏｗ分離回路２３において、高域成分と低域成分の輝度信号ＹＨ，ＹＬに分離される。低域成分の輝度信号ＹＬはガンマ変換回路８においてガンマをかけた後、加算回路１７に入力される。一方、高域成分の輝度信号ＹＨは、ゲインコントロール回路１８で振幅を制御してから加算回路１７に入力される。
【００３６】
加算回路１７においては、輝度信号の高域成分ＹＨと低域成分ＹＬとが加算されて、輝度信号Ｙ＋Ｓとして出力される。マトリクス回路２９から出力された色差信号Ｒ−Ｙ，Ｂ−Ｙと、加算回路１７から出力された輝度信号Ｙ＋Ｌはそれぞれローパスフィルタ１０，１１，１２で帯域制限をした後、エンコーダ１３でコンポジットビデオに変換され出力される。
【００３７】
図３は、図１および図２に示した実施例に適用される輝度信号の低域成分の信号レベルと、輝度信号の高域成分のアンプゲインの関係を示したものである。図３に示したように、輝度信号の高域成分の振幅制御回路（例えば図２の振幅制御回路１８）のゲインは、輝度信号の低域成分のレベルが小さい所（暗いところ）では１．０であり、明るくなっていくにつれて、徐々に小さくなって行く。
【００３８】
このように輝度信号の振幅を制御することにより、高域成分にたいしてガンマがかからないため輝度信号の明るい部分で、高域が強調され過ぎて、Ｓ／Ｎが劣化してしまうという問題を解決することができる。
【００３９】
以上詳細に説明した実施例は、撮像素子の出力信号をＡ／Ｄ交換してディジタル信号として処理する場合においても、全く同様に行なうことができる。
【００４０】
本発明の他の実施例について説明する。
図５は本発明の他の実施例を示すブロック図である。図５において、１１７は輝度信号用のガンマ変換回路であり、１１８は色信号用のガンマ変換回路である。図７に示す従来例と同様にしてホワイトバランス回路１０６から出力されたＲＧＢ信号は、色信号用のガンマ変換回路１１８に入力される。一方サンプルホールドおよびＡＧＣ回路１０５を通った輝度信号は輝度信号用のガンマ変換回路１１７に入力される。ここで、輝度信号用のガンマ変換回路１１７では通常のビデオカメラと同様に、０．４５程度のガンマ補正をかける。これに対し色信号用のガンマ変換回路１１８では、０．６〜０．７程度のガンマ補正をかける。色信号用のガンマ変換回路１１８から出力されたＲＧＢ信号は、マトリクス回路１０９で、色差信号に変換されてローパスフィルタ１１０，１１１で帯域制限された後エンコーダ１１３とマトリクス回路１１９に入力される。
【００４１】
輝度信号用のガンマ変換回路１１７から出力された輝度信号はローパスフィルタ１１２で帯域制限をされた後エンコーダ１１３とマトリクス回路１１９に入力される。エンコーダ１１３では、入力された色差信号と輝度信号とをコンポジットビデオ信号に変換して出力する。またマトリクス回路１１９では入力された色差信号と輝度信号とを、ＲＧＢ信号に変換して出力する。
【００４２】
図６は本発明の実施例を示すブロック図である。図６においてサンプルホールドおよびＡＧＣ回路１０５、ホワイトバランス回路１０６までの処理は第１の実施例と同様である。本実施例においては、ホワイトバランス回路１０６から出力されるＲＧＢ信号は、Ａ／Ｄ変換回路１２０においてディジタル信号に変換される。またＡＧＣ回路１０５から出力される輝度信号はＡ／Ｄ変換回路１２１において、ディジタル信号に変換される。図６の点線で囲った部分はディジタル処理の範囲を示す。１２２，１２３，１２４，１２５はそれぞれ図５の１１８，１１７，１０９，１１９に相当する処理をディジタルで行なうブロックを示す。
【００４３】
１２２はＲＧＢに対してガンマ補正をかけるブロックでガンマは例えば０．６〜０．７程度に設定される。１２３は輝度信号に対してガンマ補正をかけるブロックで、ガンマは例えば０．４５程度に設定される。１２４はＲＧＢ信号から色差信号を作るためのマトリクス処理のブロックである。ブロック１２５においてはブロック１２４の出力の色差信号とブロック１２３の出力の輝度信号とから、再びＲＧＢ信号を作り、Ｄ／Ａ変換器１２６に入力する。Ｄ／Ａ変換器１２６からのＲＧＢ出力はそれぞれローパスフィルタ１２７，１２８，１２９を通ることによって、アナログＲＧＢ信号となって出力される。本実施例においては、１２２のガンマ特性がブロック１２３のそれに比べてゆるく設定されるため、Ａ／Ｄ変換器１２０のビット数をＡ／Ｄ変換器１２１のビット数に比べて小さくすることが可能となる。（例えばＡ／Ｄ変換器１２１のビット数を１０ビットとした場合、Ａ／Ｄ変換器１２２のビット数を８ビット）その結果、全体の回路規模を小さくすると共にコストを下げることができる。
【００４４】
次に本発明の他の態様について説明する。
図８および図９は、本発明の他の態様における第一の実施例を示すブロック図である。図８において、撮影レンズ２０１を通った映像はハーフミラー２０２を通過して輝度信号用のＣＣＤ２０３上に結像すると同時に、ハーフミラー２０２で反射して色信号用のＣＣＤ２０４上に結像する。輝度信号用のＣＣＤ２０３からはホワイト信号が出力され、サンプルホールド回路２０８を通ってから、プロセス回路２０９に入力される。
【００４５】
色信号用のＣＣＤ２０４にはＲとＢの色フィルタがストライプ状に貼られており、Ｒ信号とＢ信号とが一画素毎に交互に出力され、サンプルホールド回路２０８においてＲ信号とＢ信号とに分離されてプロセス回路２０９に入力される。プロセス回路２０９においてホワイトバランスをとり、ＲＧＢ信号に変換してガンマ変換回路２１０でガンマ補正をかけてＲＧＢ信号として出力する。
【００４６】
図９はプロセス回路２０９の中の構成を表わしたものである。図９において入力されたＲ信号（Ｒｉ），Ｗ信号（Ｗｉ），Ｂ信号（Ｂｉ）からローパスフィルタ２１１，２１２，２１３によって低域成分ＲＬ，ＷＬ，ＢＬを分離する。つぎにＷＬから減算器２１７においてＲＬとＢＬをある一定の比率で減算することによりＧ信号を得る。このＧ信号とＲＬ，ＢＬは振幅検出回路２３０に入力され、この回路から出力されるコントロール信号によってＲＧＢの振幅が等しくなるようにゲインコントロールアンプ２１４，２１５においてＲＬとＢＬの振幅をそれぞれ調整する。
【００４７】
一方、Ｗｉ信号からＷＬを減算する事によりＷ信号の高域成分ＷＨを分離する。このＷＨを加算器２１８，２１９，２２０においてＲＧＢ各信号に加算する事によって、周波数特性を補正したＲ信号（Ｒｏ），Ｇ信号（Ｇｏ），Ｂ信号（Ｂｏ）を得る。本実施例によれば、Ｒ信号，Ｇ信号，Ｂ信号として周波数特性のそろった信号を得ることができるため、ＲＧＢで信号処理を行うようなシステムに適したホワイトバランス回路を構成することができる。
【００４８】
図１０は本発明の他の態様における第二の実施例を示すブロック図である。
図１０においてサンプルホールド回路２０８から出力される所までは第一の実施例と同様である。第二の実施例においてはサンプルホールド回路２０８の出力はＡＧＣ回路２２１に入力される。このＡＧＣ回路２２１ではＲｉ，Ｗｉ，Ｂｉがそれぞれ独立してゲインコントロールされて３チャンネルのＡ／Ｄコンバータ２２２に最適な入力レベルとなるように調整される。
【００４９】
Ａ／Ｄ変換器２２２においてディジタル信号に変換された後は、図９に示したと同様の処理をディジタル処理で行う。本実施例によればデータがディジタル化されているため画像をディジタル記録する場合に適しているのみでなく、Ａ／Ｄ変換器の入力信号レベルを各チャンネルごとに最適化することができる。
【００５０】
図１１は第三の実施例を示すブロック図である。
減算回路２２４において、ゲインコントロールアンプ２１４，２１５から出力されるＲ信号及びＢ信号をＷｉ信号から引く事によって輝度信号（Ｙ）を得る。さらに得られたＹ信号を減算回路２２５においてＲ信号から減算する事によってＲ−Ｙ信号を、減算回路２２６においてＢ信号から減算する事によってＢ−Ｙ信号を得る。ゲインコントロールアンプ２１４、減算回路２２５から出力されるＲ−Ｙ信号の振幅を検出回路２３１において検出しその振幅が零になるように制御される。
【００５１】
同様にゲインコントロールアンプ２１５は減算回路２２６から出力されるＢ−Ｙ信号の振幅を検出回路２３２において検出し、その振幅が零になるように制御される。本実施例によれば輝度信号と色差信号をのかたちで信号を扱うようなシステムにおいて最適なホワイトバランス制御が可能となる。
【００５２】
【発明の効果】
本発明によれば、出力画像の暗部のＳ／Ｎ比を改善することができる。
【図面の簡単な説明】
【図１】本発明による撮像装置の一実施例を示す機能ブロック図である。
【図２】本発明による撮像装置の他の実施例を示す機能ブロック図である。
【図３】本実施例における輝度信号の低域成分の信号レベルと、輝度信号の高域成分のアンプゲインの関係を示したグラフである。
【図４】従来技術における撮像装置の機能ブロック図である。
【図５】本発明の一態様における第１の実施例を示すブロック図である。
【図６】本発明の一態様における第２の実施例を示すブロック図である。
【図７】従来の２板式撮像装置の構成を示すブロック図である。
【図８】本発明の他の態様における第１の実施例を示すブロック図である。
【図９】図８中のプロセス回路の詳細を示すブロック図である。
【図１０】本発明の他の態様における第２の実施例を示すブロック図である。
【図１１】本発明の他の態様における第３の実施例を示すブロック図である。
【符号の説明】
１  撮像レンズ
２，１４，１５  撮像素子
５  サンプルホールドおよびＡＧＣ回路
６  ホワイトバランス調整回路
７，２３  高域低域分離回路
８  ガンマ変換回路
９  マトリクス回路
１０，１１，１２  ローパスフィルタ
１９  振幅制御回路
１０１  撮影レンズ
１０３  クロックジェネレータ
１０４，２０６，２０７  ＣＣＤドライバ
１０５  サンプルホールドおよびＡＧＣ回路
１０６  ホワイトバランス制御回路
１１７，１１８，１２２，１２３  ガンマ変換回路
１０９，１１９，１２４，１２５  マトリクス回路
１１０，１１１，１１２，１２７，１２８，１２９  ローパスフィルタ
１１４，１１５  撮像素子
１１６  ハーフミラー
２０８  サンプルホールド回路
２２３  プロセス回路
２１０  ガンマ変換回路
２１１，２１２，２１３  ローパスフィルタ
２１４，２１５  ゲインコントロールアンプ
２１６，２１７，２２４，２２５，２２６  減算回路
２１８，２１９，２２０  加算回路
２２１  ＡＧＣ回路
２２２  Ａ／Ｄ変換回路
２３０，２３１，２３２  ＡＧＣ検出回路
【図１】
0003666886.tif 000002
【図２】
0003666886.tif 000003
【図３】
0003666886.tif 000004
【図４】
0003666886.tif 000005
【図５】
0003666886.tif 000006
【図６】
0003666886.tif 000007
【図７】
0003666886.tif 000008
【図８】
0003666886.tif 000009
【図９】
0003666886.tif 000010
【図１０】
0003666886.tif 000011
【図１１】
0003666886.tif 000012